(57)【特許請求の範囲】
【請求項１】
平面視略四角形の棚板と、前記棚板の各コーナー部に配置された４本の金属製コーナー支柱と、隣り合ったコーナー支柱を連結する金属製ビームの群とを備えており、
前記各コーナー支柱は、平面視で直交した２枚の側板を有する平面視Ｌ型の形態であり、前記各側板に、前記ビームを連結するための係合穴が空いており、前記係合穴は、上に位置した広幅部とその下に位置した細幅部とからなっている一方、
前記各ビームは、両端部が前記コーナー支柱における側板の外面に重なる重合部になっている鉛直姿勢の基板を有して、前記重合部に、当該重合部と協働して前記コーナー支柱の側板を前記係合穴の個所において内外から挟む係合爪が曲げ形成されており、
前記係合爪は、前記重合部と反対側から前記コーナー支柱の側板に重なる第１部分と、前記第１部分と重合部とを繋ぐ第２部分を有しており、前記第１部分は前記係合穴の広幅部に横から嵌まり込む大きさであり、前記第１部分を係合穴の広幅部に嵌め入れてからビームを下方にずらすと、前記第２部分が係合穴の細幅部に入り込んで前記第１部分と重合部とでコーナー支柱の側板が挟まれるように設定されている構成であって、
前記棚板は、底板と壁板とを有するトレー状の形態であり、前記壁板のうち前記コーナー支柱と対向した部位を除いた箇所の上端に外向き片を折り曲げ形成している一方、
前記ビームにおける基板のうち前記重合部を除いた箇所に、前記棚板の底板が載る下部内向きフランジと、前記下部内向きフランジよりも突出寸法が小さくて前記棚板の外向き片が載る上部内向きフランジとを曲げ形成している、
棚装置。
【請求項２】
前記ビームにおける上部内向きフランジにストッパー突起を突設している一方、前記棚板における壁板の上部に、前記ストッパー突起が嵌入するストッパー穴を形成している、
請求項１に記載した棚装置。
【請求項３】
前記ビームにおける上下内向きフランジの端面が前記コーナー支柱における側板の側面に当接又は近接している、
請求項１又は２に記載した棚装置。
【請求項４】
前記各コーナー支柱の下端にキャスタを設けてワゴン式に構成している、
請求項１〜３のうちのいずれかに記載した棚装置。
【発明の詳細な説明】
【技術分野】
【０００１】
本願発明は、４本のコーナー支柱で棚板等が支持される棚装置に関するもので、ビスやナットのようなファスナを使用しないで組み立てられる棚装置を対象にしている。なお、棚装置には、定置式のものと、キャスタを備えたワゴン式との両方が含まれる。
【背景技術】
【０００２】
棚装置は様々な構成があるが、キャスタを備えたワゴン式について見ると、コーナー支柱が直交した２枚の側板でＬ型に形成されたアングルタイプと、コーナー支柱として丸パイプが使用されているタイプとが多い。このうちアングルタイプでは、棚板とコーナー支柱とをねじで固定していることが普通であるが、ビス（ボルト）やナットのようなねじ類を回転操作するのに手間がかかるという問題があった。また、ビスやナット、ドライバのいずれかが欠けると組み立てできないという問題もあった。
【０００３】
そこで、ねじを使用することなく組み立てできる棚装置が提案されており、その例として特許文献１がある。この特許文献１では、隣り合ったコーナー支柱をビームで連結して、４本のビームで棚板を支持するようになっており、広幅部とコーナー支柱との連結手段としては、まず、コーナー支柱を構成する２枚の側板に、上半部を大径部として下半部を細幅部となしたダルマ形係合穴が、それぞれ上下多段に形成されている。
【０００４】
他方、ビームはコーナー支柱の内面に重なるようになっており、ビームの端部には、ダルマ形係合穴の大径部に嵌脱する頭とこのダルマ形係合穴の細幅部に嵌まる軸部（首部）とを有する係合ピン（凸ボタン）が外向きに突設されており、係合ピンを係合穴に嵌め入れてビームを下方にずらすと、ビームとコーナー支柱とが連結される。
【０００５】
特許文献１において、ビームには、棚板の縁部が重なるフランジ片を内向きに突設している。そして、特許文献１では、ビームはコーナー支柱の内面に重なっているため、フランジ片の端部を平面視で４５°カットすることにより、隣り合ったビームのフランジを互いに突き合わせている。
【先行技術文献】
【特許文献】
【０００６】
【特許文献１】実開昭６２−１５９７４８号のマイクロフィルム
【発明の概要】
【発明が解決しようとする課題】
【０００７】
特許文献１は、連結手段としてビームに頭付きピンを設けているが、頭付きピンはビームとは別体に製造されており、溶接やかしめ付けによってビームに固定されることになるため、製造と取り付けに手間が掛かってコストが嵩むという問題がある。
【０００８】
また、４本のビームはコーナー支柱に順番に取り付けられるが、隣り合ったビームのフランジ同士を突き合わせると、例えば、先に長辺部のビームを取り付けて、次に短辺部のビームを取り付けるとすると、短辺部のビームの端部が先に取り付けている長辺部のビームの端部に当たってしまって、短辺部のビームを取り付けにくくなるという問題がある。また、ビームをコーナー支柱の内面に重ねる方法では、頭付きピンを視認しにくいという問題があり、この面でも、組み立ての迅速性に欠けるといえる。
【０００９】
本願発明はこのような現状に鑑み成されたものであり、ねじを使用せずに係合穴を使用する点は特許文献１と軌を一にしつつ、構造を簡素化してコストを抑制することや、組み立ての容易化、棚装置の堅牢性のアップ等を課題とするものである。
【課題を解決するための手段】
【００１０】
本願発明の棚装置は、平面視略四角形の棚板と、前記棚板の各コーナー部に配置された４本の金属製コーナー支柱と、隣り合ったコーナー支柱を連結する金属製ビームの群とを備えており、
前記各コーナー支柱は、平面視で直交した２枚の側板を有する平面視Ｌ型の形態であり、前記各側板に、前記ビームを連結するための係合穴が空いており、前記係合穴は、上に位置した広幅部とその下に位置した細幅部とからなっている。
【００１１】
前記各ビームは、両端部が前記コーナー支柱における側板の外面に重なる重合部になっている鉛直姿勢の基板を有して、前記重合部に、当該重合部と協働して前記コーナー支柱の側板を前記係合穴の個所において内外から挟む係合爪が曲げ形成されており、
前記係合爪は、前記重合部と反対側から前記コーナー支柱の側板に重なる第１部分と、前記第１部分と重合部とを繋ぐ第２部分を有しており、前記第１部分は前記係合穴の広幅部に横から嵌まり込む大きさであり、前記第１部分を係合穴の広幅部に嵌め入れてからビームを下方にずらすと、前記第２部分が係合穴の細幅部に入り込んで前記第１部分と重合部とでコーナー支柱の側板が挟まれるように設定されている。
【００１２】
そして、前記棚板は、底板と壁板とを有するトレー状の形態であり、前記壁板のうち前記コーナー支柱と対向した部位を除いた箇所の上端に外向き片を折り曲げ形成している一方、
前記ビームにおける基板のうち前記重合部を除いた箇所に、前記棚板の底板が載る下部内向きフランジと、前記下部内向きフランジよりも突出寸法が小さくて前記棚板の外向き片が載る上部内向きフランジとを曲げ形成している。
【００１３】
本願発明において、棚板はパンチングメタル製とすることも可能である。また、ビームには、棚板を支持することに加えて又はこれに代えて、フック類を引っ掛けることも可能である。更に、棚板は４本のビームで支持してもよいし、平行な２本のビームのみで支持してもよい。１つの段に複数の棚板を並べて配置する（棚板を複数に分割する）ことも可能である。
【００１４】
本願発明は、請求項２以下の構成も含んでいる。このうち請求項２の発明は、請求項１において、前記ビームにおける上部内向きフランジにストッパー突起を突設している一方、前記棚板における壁板の上部に、前記ストッパー突起が嵌入するストッパー穴を形成している。
【００１５】
請求項３の発明は、請求項１又は２において、前記ビームにおける上下内向きフランジの端面が前記コーナー支柱における側板の側面に当接又は近接している。
【００１６】
更に、請求項４の発明は、請求項１〜３のうちのいずれかにおいて、前記各コーナー支柱の下端にキャスタを設けてワゴン式に構成している。
【００１７】
なお、本願発明は、書架のように奥行き（前後幅）に対して間口（左右幅）が何倍もある定置式棚装置にも適用できるが、長方形であっても、ワゴンのように長辺の長さが短辺の２倍以下の棚装置や、平面視正方形の棚装置のように、安定性に優れた棚装置に適用するのが好適である。
【発明の効果】
【００１８】
本願発明では、係合爪はビームの端部に曲げ形成されているため、特許文献１のような取り付け工程は不要であり、それだけ構造を簡素化してビームの製造コストを大幅に抑制できるのみならず、部材管理の手間も抑制できる。
【００１９】
さて、例えば、キャスタ付き棚装置であるワゴンの場合、動かし初めや停止時に慣性力が強く作用する性質があり、この慣性力は、コーナー支柱とビームとの連結個所に作用する。従って、コーナー支柱とビームとが相対動しやすい連結構造であると、ワゴンにガタ付き（コーナー支柱の倒れ）が生じやすい。
【００２０】
そこで、特許文献１について見ると、特許文献１では、係合ピンの軸と、コーナー支柱における係合穴の細幅部とが点接触状態になっているため、コーナー支柱とビームとが係合爪の軸を視点にして相対回動しやすくなっており、従って、コーナー支柱が倒れやすい状態になっている。すなわち、棚装置がガタ付きやすくなっている。なお、１本のビームに上下複数の係合ピンを設けると、コーナー支柱の倒れやすさは相当に改善できるが、それでも、係合ピンの軸とコーナー支柱の側板とが点当たりであることから、係合ピンの軸とコーナー支柱の側板とが変形しやすいため、ガタ付き防止機能には限度があると云える。
【００２１】
これに対して本願発明では、係合爪の第２部分は上下に長い姿勢であり、係合爪の第２部分とコーナー支柱の側板とが上下方向の長さを持った状態に線接触（或いは面接触）しているため、コーナー支柱の倒れに対する抵抗は非常に高くなる。特に、係合穴の細部の溝幅と係合爪の第２部分の厚さとを同じに設定して、第２部分が細幅部にきっちり嵌まるように設定しておくと、ビームとコーナー支柱との相対動に対して極めて高い抵抗が付与されるため、棚装置に水平方向の押し引きによって横方向の荷重が掛かっても、棚装置のガタ付きをしっかりと抑えて高い安定性を確保できる。
【００２２】
また、ビームの重合部がコーナー支柱の外面に重なっていることにより、係合爪の位置を容易に視認できるため、係合穴への嵌め込みを速やかに行える。また、４本のビームが同じ高さに配置されるが、各ビームは、コーナー支柱の外側に広がった空間から水平移動させてコーナー支柱に連結されるため、隣り合っていて先に取り付けられているビームが、後から取り付けるビームの邪魔になることもない。これら、係合穴への係合爪の嵌め込みを迅速に行えることと、先に取り付けたビームが後から取り付けるビームの邪魔にならないこととにより、棚装置の組み立てを迅速に行える。更に、本願発明では、組み立て後には係合爪は外側から視認できないため、美観にも優れている利点もある。
【００２３】
また、ビームの上下にフランジを形成したことにより、ビームはチャンネル材のような断面形状になるため、ビームの堅牢性を高めて、結果として棚装置の強度も向上できる。また、棚板に下方から突き上げ力が働くことがあり得るが、請求項２の構成を採用すると、棚板を簡単には外れない状態に保持できる利点がある。
また、請求項３のように、上下の内向きフランジの端面がコーナー支柱３の側面に当接又は近接させると、コーナー支柱が倒れようとすると、上下内向きフランジがコーナー支柱の側面に突っ張って、倒れに対する抵抗として作用する。これによっても、棚装置のガタ付きを著しく抑制することができる。
【図面の簡単な説明】
【００２４】
【図１】第１実施形態のおおまかな外観斜視図である。
【図２】第１実施形態の分離斜視図である。
【図３】第１実施形態の分離斜視図である。
【図４】（Ａ）は第１実施形態の組み立て状態での部分斜視図、（Ｂ）はコーナー支柱の下端部の斜視図である。
【図５】（Ａ）は第１実施形態の部分平面図、（Ｂ）は（Ａ）のＢ−Ｂ視断面図、棚板をセットした状態での図３のＣ−Ｃ視断面図、（Ｄ）はビームとコーナー支柱との分離側面図である。
【図６】第２〜第５実施形態を示す図である。
【図７】第６〜８実施形態及び参考例を示す図である。
【発明を実施するための形態】
【００２５】
(1).第１実施形態の構造
次に、本願発明の実施形態を図面に基づいて説明する。まず、図１〜５に示す第１実施形態を説明する。本実施形態は、図１のとおり、キャスタ１を備えたワゴンタイプの棚装置に適用しており、平面視長方形の棚板２と、棚板のコーナー部の個所に配置した４本のコーナー支柱３と、隣り合ったコーナー支柱３に連結した水平姿勢のビーム４とを備えている。棚装置の短辺部にはハンドル５を配置しており、ハンドル５は、短い長さのビーム４に取り付けている（ハンドル５を設けたビーム４で棚板２を支持することも可能である。）。
【００２６】
図２に示すように、各コーナー支柱３は、直交した２枚の側板３ａを有するＬ形（アングル形）であり、両側板３ａに、係合穴６が上下多段に形成されている。係合穴６は、広幅部６ａと細幅部６ｂとが上下に繋がった逆Ｌ形になっており、細幅部６ｂは、広幅部６ａに対して、コーナー支柱３の中間部（２枚の側板３ａの連接した角又は稜線）の側に寄っている。すなわち、広幅部６ａの内側面と細幅部６ｂの内側面とが同一面を成している。なお、係合穴６の上下ピッチは任意に設定できる。
【００２７】
各ビーム４は鉛直姿勢の基板４ａを有しており、基板４ａの両端部は、コーナー支柱３の外面に重なる重合部４ｂになっており、重合部４ｂに、コーナー支柱３の係合穴６に嵌まり係合する係合爪７を曲げ形成している。係合爪７は、重合部４ｂと反対側からコーナー支柱３の側板３ａに重なる第１部分７ａと、第１部分７ａと重合部４ｂとを繋ぐ第２部分７ｂとからなっている。
【００２８】
第１部分７ａは、側面視で重合部４ｂと重なるように返されている。従って、係合爪７は鉤形になっており、重合部４ｂと係合爪７とによって平面視Ｕ形の形態が構成されている。第１部分７ａは四角形であり、係合穴６の広幅部６ａに嵌まり込む横幅及び高さになっている。第２部分７ｂは、第１部分７ａと同じ高さになっており、係合穴６の細幅部６ｂは、第２部分７ｂがきっちり嵌まり込む溝幅になっている。
【００２９】
ビーム４とコーナー支柱３は塗装されているが、塗装はある程度の厚さがあるので、細幅部６ｂの溝幅をビーム４の板厚よりも僅かに大きい寸法に設定しておくことにより、第２部分７ｂを細幅部６ｂにきっちり嵌め込むことができる。
【００３０】
ビーム４の上端縁と下端縁には、内向きフランジ８，９を折り曲げ形成している。従って、ビーム４はコ字形の形態を成している。上下フランジ８，９は、その端面がコーナー支柱３の側面に当接又は密接するように設定している。また、上部内向きフランジ８の突出寸法よりも下部内向きフランジ９の突出寸法が大きくなっている（換言すると、上部内向きフランジ８の突出寸法が下部内向きフランジ９の突出寸法よりも小さくなっている。）。
【００３１】
棚板２は、底板２ａとその四辺から立ち上がった壁板２ｂとを有して上向きに開口したトレー状であり、底板２ａがビーム４の下フランジ９に載るように設定している。また、棚板２の上端には、ビーム４の上部内向きフランジ８に重なる外向き片２ａを設けている。外向き片２ａは、補強と安全対策も兼ねている。
【００３２】
棚板２は複数段（３段）あるが、中段の棚板２に物を載せ降ろしするに際して上段の棚板２を下方から突き上げたり、下段の棚板２に物を載せ降ろしするに際して中段の棚板２を下方から突き上げたりすることがある。そこで、本実施形態では、下からの突き上げがあっても棚板２が簡単に外れないようにするための係止手段を設けている。
【００３３】
すなわち、図２，３，５（Ａ）（Ｂ）に示すように、ビーム４の上部内向きフランジ８に内向きのストッパー突起１０を設ける一方、棚板２における壁板２ｂの上端縁に、ストッパー突起１０が嵌まるストッパー穴１１を設けている。棚板２をビーム４の群に対して上から押し込むと、棚板２の壁板２ｂが少し撓み変形してから、ストッパー突起１０とストッパー穴１１とが嵌まり合う。これにより、棚板２は、下からの突き上げがあっても簡単には外れない。
【００３４】
ストッパー突起１０とストッパー穴１１は、各辺について、棚板２の近くの端部の２か所ずつに設けているが、中間部と両端部との３か所に設けるなど、配置位置は任意に設定できる。長辺部と短辺部とで個数を異ならせることも可能である。ストッパー突起１０の突出寸法は、棚板２の板厚と同じか、板厚より少し大きい程度の寸法で足りる。
【００３５】
図４（Ｂ）に示すように、各コーナー支柱３の下端には、下片２を折り曲げ形成しており、下片１２に、キャスタ１のボルト（図示せず）が嵌まる取り付け穴１３を空けている。下片１２には、補強のための起立片１３を一体に設けており、起立片１３はコーナー支柱３の一方の側板３ａに溶接されている。
【００３６】
(2).第１実施形態のまとめ
図２に示すように、ビーム４は、コーナー支柱３に外側から重ねて、係合爪７を係合穴６の広幅部６ａに嵌め入れてから、ビーム４を下方にずらすという手順により、コーナー支柱３に取り付けられる。これにより、隣り合った棚板２がビーム４で連結される。このようにして４本のビーム４を同じ高さ位置に取り付けてから、棚板２を、４本のビーム４で囲われた空間に上から嵌め込むと、ストッパー突起１０とストッパー穴１３とが嵌まり合って、棚板２は容易に上向き動しない状態にセットされる。
【００３７】
なお、本実施形態では、棚板２はコーナー支柱３の内面近くまで広がっているので、中段の棚板２と下段の棚板２とは、ビーム４の上に移動させても、コーナー支柱３につかえて外側に出し入れすることができない。従って、本実施形態の棚装置は、下段のビーム４と下段の棚板２との取り付け、中段のビーム４と棚板２との取り付け、上段のビーム４と棚板２との取り付け、という手順で組み立てられる。
【００３８】
但し、上段のビーム４と下段のビーム４とを取り付けた状態でも、中段のビーム４のうち長辺部の１本を取り外すと、棚板２は斜めの姿勢にして外側に取り外すことができる。従って、組み立てに際しては、まず上段と下段とのビーム４を取り付けてから、下段と中段との棚板２を斜め姿勢にして内部に挿入し、下段の棚板２はそののま下段のビーム４にセットして、中段の棚板２を水平姿勢にして、所定の高さから浮かせた状態に保持しつつ中段のビーム４を取り付けて、それから中段の棚板２を中段のビーム４にセットする、という手順を採ることも可能である。
【００３９】
本実施形態の特徴の１つとして、ビーム４の基板４ａがコーナー支柱３の外面に重なっている点がある。この特徴により、まず、作業者が、係合爪７を視認した状態で係合穴６に嵌め入れできる利点がある。また、４本のビーム４を移動させる空間は互いに干渉することなく四辺の外側に広がっているため、先に取り付けたビーム４は、後から取り付けるビーム４の邪魔にならない、という利点もある。これら２つの利点により、ビーム４をコーナー支柱３に迅速に取り付けて、コーナー支柱３同士をビーム４で簡単に連結することができる。
【００４０】
本実施形態の他の特徴として、係合爪７が、ビーム４に板金加工によって一体に形成されていることが挙げられる。この特徴により、構造を簡単化してコストを抑制できる。
【００４１】
更に、本実施形態の他の特徴として、係合爪７の第２部分７ｂが上下にある程度の長さを持っており、この第２部分７ｂが、係合穴６の細幅部６ｂに線接触（或いは面接触）の状態で嵌合していることが挙げられる。この特徴により、コーナー支柱３を基準にすると、ビーム４は、図３に矢印１４で示す上下方向に相対動し難い状態に保持されており、ビーム４を基準すると、コーナー支柱３は、図３に矢印１５で示す方向に傾き難い状態に保持されている。
【００４２】
すなわち、各ビーム４とコーナー支柱３との直角姿勢が保持されて、水平方向の荷重が掛かっても、コーナー支柱３の倒れが著しく抑制されて、棚装置のガタ付きを無くすことができるのである。その結果、ビーム４の端部に１つずつの係合爪７を形成しただけであっても、棚装置は高い堅牢性を確保することができる。
【００４３】
更に、本実施形態の他の特徴として、ビーム４の上下に内向きフランジ８，９が形成されてコ字形の形態を成していることと、上下内向きフランジ８，９の端面がコーナー支柱３の側面に当接又は近接していることが挙げられる。ビーム４がコ字形の形態であることにより、上下方向の曲げや水平方向の曲げ、或いは軸方向のねじりに対して高い抵抗を発揮し、結果してと、棚装置の堅牢性向上に貢献している。
【００４４】
また、上下フランジ８，９の端面がコーナー支柱３の側面に当接又は近接しているため、コーナー支柱３が倒れようとすると、上下フランジ８，９がコーナー支柱３の側面に突っ張って、倒れに対する抵抗として作用する。これによっても、棚装置のガタ付きを著しく抑制することができる。
【００４５】
なお、本実施形態では各棚板２の上端は露出しているが、コーナー支柱３の上端部に樹脂製のキャップを装着することも可能である。
【００４６】
(3).第２〜５実施形態（図６）
次に、他の実施形態を説明する。まず、図６に示す第２〜５実施形態を説明する。これらの実施形態は、ビーム４とコーナー支柱３との連結手段の別例であり、まず、図６（Ａ）に示す第２実施形態では、係合穴６の細幅部６ｂのうち、側板３ａの側面１６の側に向いた外側面１７に突起１８を形成して、細幅部６ｂのうち、コーナー支柱３の角の側に向いた内側面１９には凹所２０を形成している。
【００４７】
この実施形態では、係合爪７の第２部分７ｂは、細幅部６ｂに強制的に嵌め込まれるようになっており、第２部分７ｂが変形しながら細幅部６ｂに強制的に嵌め込まれると、第２部分７ｂは、突起１８のガイド作用により、コーナー支柱３の角の側に引き寄せられる。
【００４８】
これに伴い、ビーム４は、白抜き矢印で示すように、コーナー支柱３の角の側に寄せられようとするが、ビーム４の左右のコーナー支柱３に連結されているため、結果として、左右のコーナー支柱３は、黒抜き矢印で示すように互いに引き寄せられる。この引き寄せが、四辺の個所でかつ各段の高さで行われるため、各ビーム４とコーナー支柱３とは、ガタ付きを完全に無くした状態に強固に連結される。これにより、棚装置の堅牢性（強度）を、飛躍的に高めることができる。なお、ビーム４は、例えば、プラスチックハンマーや木槌で叩き込むのが好ましい。
【００４９】
図６（Ｂ）（Ｃ）に示すのも、（Ａ）と同じ作用を発揮させるための例であり、（Ｂ）に示す第３実施形態では、細幅部６ｂのうち上側の適宜範囲を、下に行くほどコーナー支柱３の角に近づくように傾斜した傾斜部２１に設定している。傾斜部２１の範囲に任意に設定できる。細幅部６ｂの全体を傾斜部に形成することも可能である。
【００５０】
図６（Ｃ）に示す第４実施形態では、細幅部６ｂは、コーナー支柱３の角に向けて凸（側面に向けて凹）となるように湾曲させている。この例では、係合爪７の第２部分７ｂの変形が容易になるため、第２実施形態に比べて第２部分７ｂの嵌め込みを軽い力で行えると云える。
【００５１】
図６（Ｄ）に示す第５実施形態では、ビーム４の重合部４ｂを基板４ａの下方に延長して、重合部４ｂに上下２つの係合爪７を形成している。この重合部４ｂでも、格段に高い連結強度を確保できる。なお、２つの係合爪７を有するビーム４と、１つだけの係合爪７を有するビーム４とを上下に高さを変えて併用することも可能である。また、図６（Ｄ）に図６（Ａ）〜（Ｃ）を組み合わせることも可能である。
【００５２】
(4).第６〜１０実施形態（図７）
図７では、棚板２に関連した別例及び参考例を示している。このうち図７（Ａ）に示す第１参考例では、棚板２を下向きに開口したトレー状に形成している。従って、この棚板２を各種の作業面として使用できる。外周壁の下端には水平片２２を形成しているが、これは無くてもよい。
【００５３】
図７（Ｂ）に示す第２参考例では、棚板２の例として、木製の天板２３の下面にスチール製枠体２４が固定されたものを使用している。枠体２４は、ビーム４の群で囲われた空間にきっちり入り込むように設定しており、枠体２４の下端に、ビーム４の下フランジ９に載る下片２４ａを設けている。このように、棚板２を天板方式に構成すると、天板２３を作業台として使用できる。図の例では天板２３がビーム４の外側に張り出しているが、天板２３の側面をビーム４の外面と揃えてもよい。
【００５４】
図７（Ｃ）に示す第６実施形態では、上向きに開口したトレー状の棚板２に把手２５を設けている。このように把手２５を設けると、物品を収納した状態で棚板２だけを持ち運びできるため、重宝である。図では把手２５がビーム４の外側に突出しているが、ビーム４の横にはみ出させずに、上方のみに突出させることも可能である。把手２５は棚板２の四周全体に設けることも可能であるが、実用的には、平行な２つの２辺部（短辺部）に設けたら足りると云える。図示は省略するが、棚板２をカゴ形式にして、カゴ状棚板２の上端縁に把手を設けてもよい。
【００５５】
図７（Ｄ）に示す第７実施形態では、上段と下段との間に位置した中間棚板２６の支持態様の例を示しており、この例では、コーナー支柱３に着雑自在なブラケット２７を取り付けて、ブラケット２７で中間棚板２６を支持している。従って、中間棚板２６は、本願発明のビーム４で支持しているものではない（本願発明の構成と他の支持構造との組み合わせの実施形態である。）。ブラケット２７はコーナー支柱３に着脱自在であるため、中間棚板２６の高さ調節を簡単に行える。この例から理解できるように、本願発明において、ビーム４とコーナー支柱３との連結構造は、棚装置のうち、少なくとも１つの段の個所に適用したら足りる。
【００５６】
図７（Ｅ）に示す第８実施形態では、少なくとも１つの段において、棚板２を、長手方向に並んだ複数個に分離構成している。隣り合った棚板２が重なる縁部には、上向きの壁板２８を設けている。従って、各棚板２は、それぞれトレー状になっている。この実施形態では、例えば、長手方向に並んだ３枚の棚板２を１セットとして使用すると、中間の棚板２を上に持ち上げて取り外すと、他の棚板２はコーナー支柱３から離れる方向に水平移動させることにより、簡単に取り外すことができる。取り付けも簡単に行える。
【００５７】
複数枚の棚板２を常にセットで使用する場合は、隣り合った棚板２の当接部の壁板２８は設ける必要はない。棚板２の内部を仕切り板で多数の空間に仕切ることも可能である。
【００５８】
【００５９】
【００６０】
【００６１】
【００６２】
【００６３】
本願発明は、上記の実施形態の他にも様々に具体化できる。例えば、コーナー支柱を基本的にはＬ形としつつ、例えば押し出し成形によって中空構造に構成することも可能である。
【産業上の利用可能性】
【００６４】
本願発明は、実際に棚装置に具体化できる。従って、産業上利用できる。
【符号の説明】
【００６５】
２  棚板
２ａ  底板
２ｂ  壁板
２ｃ  外向き片
３  コーナー支柱
３ａ  コーナー支柱を構成する側板
４  ビーム
４ａ  ビームの基板
４ｂ  重合部
６  係合穴
６ａ  広幅部
６ｂ  細幅部
７  係合爪
７ａ  係合爪の第１部分
７ｂ  係合爪の第２部分
８，９  内向きフランジ
１０  係止手段を構成するストッパー突起
１１  係止手段を構成するストッパー穴
【図１】
0006694296.tif 000002
【図２】
0006694296.tif 000003
【図３】
0006694296.tif 000004
【図４】
0006694296.tif 000005
【図５】
0006694296.tif 000006
【図６】
0006694296.tif 000007
【図７】
0006694296.tif 000008